(57)【要約】【課題】  操作性を向上させ、通信装置の選択をより確実に行い、比較的容易に機器交換を行うことのできるゲートウェイ装置等を提供する。【解決手段】  第１通信部３３、第２通信部３２、テーブル記憶部３４及びモード設定部３１を備えるゲートウェイ装置３であって、複数の第１の通信装置１０から１個の第１の通信装置を選択するための選択情報を送信する第２の通信装置２０と通信を行い、第１の通信装置１０を識別するための識別情報と選択情報とを対応づけて登録するための識別選択情報対応テーブルを記憶し、識別選択情報対応テーブルの登録内容を変更するための変更モードを含む複数のモードから１のモードが選択的に受け付けられ、変更変更モードが受け付けられた場合に、第１の通信装置１０から識別情報を受信するとともに、第２の通信装置２０から選択情報を受信すると、受信した識別情報に対応させて、受信した選択情報を前記識別選択情報対応テーブルに登録する。【選択図】      図１
2006013815.tif 000002
【特許請求の範囲】
【請求項１】
複数の第１の通信装置と通信を行うための第１通信部と、
前記複数の第１の通信装置から１個の第１の通信装置を選択するための選択情報を送信する第２の通信装置と通信を行うための第２通信部と、
前記第１の通信装置を識別するための識別情報と前記選択情報とを対応づけて登録するための識別選択情報対応テーブルを記憶するテーブル記憶部と、
前記識別選択情報対応テーブルの登録内容を変更するための変更モードを含む複数のモードから１のモードを選択的に受け付けるモード設定部と、
前記モード設定部から変更モードを受け付けた場合に、前記第１の通信装置から前記識別情報を受信するとともに、前記第２の通信装置から前記選択情報を受信すると、前記受信した識別情報に対応させて、前記受信した選択情報を前記識別選択情報対応テーブルに登録する処理部とを備えることを特徴とするゲートウェイ装置。
【請求項２】
前記処理部は、前記受信した選択情報の前記識別選択情報対応テーブルへの登録後、受信した前記選択情報と同一の選択情報が他に前記識別選択情報対応テーブルに登録されている場合には、当該同一の識別情報を前記識別選択情報対応テーブルにない登録情報に変更することを特徴とする請求項１に記載のゲートウェイ装置。
【請求項３】
前記第２通信部は、前記選択情報で選択される第１の通信装置の名称を表す名称情報を該選択情報とともに受信し、
前記処理部は、識別選択情報対応テーブルに基づいて、前記選択情報から前記第１の通信装置を特定し、特定した第１の通信装置に対して、前記第２通信部で受信した名称情報を前記第１通信部から送信させることを特徴とする請求項１又は２に記載のゲートウェイ装置。
【請求項４】
前記識別選択情報対応テーブルは、前記選択情報と対応付けて前記名称情報を更に登録するものであり、
前記モード設定部は、前記第２の通信装置から受信した前記第１の通信装置の動作を制
御するための制御信号を前記第１の通信装置に送信する動作制御モードを選択的に設定可
能であり、
前記動作制御モードが設定されている場合に、
前記第２の通信部は、前記制御信号及び前記選択情報とともに前記名称情報を受信し、
前記第２の通信部で受信した選択情報及び名称情報が前記識別選択情報対応テーブルに登録されていない場合に、前記第１の通信装置の動作の制御不能を表示する表示部を備えることを特徴とする請求項３に記載のゲートウェイ装置。
【請求項５】
記録媒体との間で情報を読み書きする外部記憶装置と、該外部記憶装置に対して前記識別選択情報対応テーブルを出力する出力部とを更に備えることを特徴とする請求項１〜４の何れかに記載のゲートウェイ装置。
【請求項６】
請求項１〜請求項５の何れかに記載のゲートウェイ装置と、複数の第１の通信装置と、第２の通信装置とを備えることを特徴とする通信システム。
【発明の詳細な説明】
【技術分野】
【０００１】
本発明は、複数の第１の通信装置と第２の通信装置との間に通信可能に介在し、第２の通信装置と第２の通信装置との間を通信可能に仲介するゲートウェイ装置及び該ゲートウェイ装置を用いた通信システムに関するものである。
【背景技術】
【０００２】
図１４は、背景技術にかかる遠隔制御システム１００を示す構成図であり、図１５は、図１４に示す遠隔制御システム１００で用いられるデータを示す図である。遠隔制御システム１００は、複数の電力線デバイス１０（１０ａ、１０ｂ、１０ｃ）と、電力線デバイス１０ａ〜１０ｃの動作を制御する監視制御装置２０と、電力線デバイス１０ａ〜１０ｃに対して電力線Ｌ１を介して所定のプロトコル（例えば、マイクロソフト社が開発したＳＣＰ（Simple Control  Protocol）、エコーネットの電灯線A方式や電灯線B方式等）により通信可能に接続されるとともに、監視制御装置２０に対してフィールドバス等の通信線Ｌ２を介して所定のプロトコル（ＴＣＰ／ＩＰ等）を用いて通信可能に接続されたゲートウェイ装置３０とを備える。
【０００３】
なお、遠隔制御システム１００で接続される電力線デバイス１０の数は、３つに限定されるものではなく、ゲートウェイ装置３０が接続を許容できる範囲の任意の個数を接続させることができる。
【０００４】
電力線デバイス１０は、デバイス機能部１０１と、通信部１０２と、処理部１０４と、記憶部１０３とを備える。
【０００５】
デバイス機能部１０１は、電力線デバイス１０の機能を実現する部位であり、例えば電力線デバイス１０が照明器具である場合には蛍光灯などを含む照明機構であり、電力線デバイス１０が電気鍵である場合には、扉等の開閉を機械的にロックするロック機構である。
【０００６】
通信部１０２は、電力線Ｌ１を介してゲートウェイ装置３０と電力線搬送通信を行う通信インターフェース回路である。
【０００７】
記憶部１０３は、EEPROM（Electrically Erasable Programmable Read Only Memory）等の書き換え可能な不揮発性メモリで実現され、本電力線デバイス１０を動作させるための制御プログラム等を格納するものである。
【０００８】
処理部１０４は、監視制御装置２０からの制御信号に従ってデバイス機能部１０１の機能に応じた動作制御を行うものである。電力線デバイス１０が照明器具である場合には、デバイス機能部１０１のオンオフの切り換えを行い、電気鍵である場合には、施錠／開錠の切り換えを行うようにデバイス機能部１０１の動作を制御する。
【０００９】
監視制御装置２０は、操作部としての操作ボタンＢ（例えば、Ｂ１、Ｂ２、Ｂ３の３つのボタン）を備えるとともに、通信部２０１、記憶部２０２、入力部２０３及び処理部２０４を備える。
【００１０】
操作ボタンＢ１、Ｂ２、Ｂ３は、クライアント端末であり、複数の電力線デバイス１０の中から１個の電力線デバイス１０を選択して、該選択した電力線デバイス１０に所定の動作を行わせる指示を入力するためのものであり、例えば押しボタンスイッチ等を備えて構成される。
【００１１】
通信部２０１は、通信線Ｌ２を介してゲートウェイ装置３０と通信を行う通信インターフェース回路である。
【００１２】
記憶部２０２は、EEPROM等の不揮発性メモリで実現され、操作対応アドレスデータテーブルＤ１を記憶するものである。操作対応アドレスデータテーブルＤ１は、図１５（ａ）で示すような、操作ボタンＢ１〜Ｂ３と、電力線デバイスを識別するためのアドレス情報（選択情報）とが対応づけられたものである。
【００１３】
入力部２０３は、操作対応アドレスデータテーブルＤ１に含まれるアドレス情報を操作者が手入力するためのものであり、操作ボタンＢ１〜Ｂ３に対応させる電力線デバイス１０のアドレス情報が入力されるものである。また、入力部２０３は、選択された電力線デバイス１０に対する所定の命令が操作者から入力されるものである。
【００１４】
処理部２０４は、操作ボタンＢ１〜Ｂ３のうちいずれかが押下された場合に、操作対応アドレスデータテーブルＤ１を参照して、押下された操作ボタンＢに対応する電力線デバイス１０のアドレス情報を取得する。
【００１５】
また、処理部２０４は、入力部２０３での入力内容に基づいて、選択された電力線デバイス１０のアドレス情報に対する制御信号を生成する。処理部２０４は、アドレス情報を含む制御信号を、ゲートウェイ装置３に対して送信するように、通信部２０１に要求する。
【００１６】
ゲートウェイ装置３０は、通信インターフェース部（以下、「通信ＩＦ部」と略記する）３００、電力線搬送インターフェース部（以下、「電力線搬送通信ＩＦ部」と略記する）３０１、記憶部３０２、出力部３０３及び中央処理部３０４を備える。
【００１７】
通信ＩＦ部３００は、監視制御装置２０と通信線Ｌ２を介して通信を行う通信インターフェース回路であり、中央処理部３０４からのデータを通信線Ｌ２の通信プロトコルに従った通信信号に生成すると共に通信線Ｌ２からの通信信号を中央処理部３０４が処理可能な形式のデータに変換する。電力線搬送通信ＩＦ部３０１は、電力線デバイス１０と電力線Ｌ１を介して所謂電力線搬送通信を行うための通信インターフェース回路であり、中央処理部３０４からのデータを電力線搬送通信の通信プロトコルに従った通信信号を生成すると共に電力線Ｌ１を介した電力線デバイス１０からの通信信号を中央処理部３０４が処理可能な形式のデータに変換する。
【００１８】
記憶部３０２は、デバイスデータテーブルＤ２を記憶し、本ゲートウェイ装置３０を動作させるための制御プログラム等のプログラム、プログラムの実行に必要な情報等を記憶すると共に、中央処理部３０４に対する所謂ワーキングメモリである。デバイスデータテーブルＤ２は、図１５（ｂ）で示されるような固有識別情報（識別情報）と、アドレス情報とが対応づけられたテーブル形式のデータである。固有識別情報とは、電力線デバイス１０を識別するための電力線デバイス１０毎に固有の情報であり、例えばＭＡＣ（Media  Access  Control）アドレス等である。
【００１９】
出力部３０３は、例えばモニタ等を備え、該モニタに表示する等の操作者に視覚可能な方法でデバイスデータテーブルＤ２を示す情報を出力するものである。出力部３０３に表示されるデバイスデータテーブルＤ２を参照しながら、操作者が監視制御装置２０の入力部２０３からアドレス情報を入力することで、図１５（ａ）に示す操作対応アドレスデータテーブルが作成される。
【００２０】
中央処理部３０４は、例えば、マイクロプロセッサやその周辺回路等で構成され、各制御プログラムに従い、通信ＩＦ部３００、電力線搬送通信ＩＦ部３０１、記憶部３０２及び出力部３０３を制御する。このような構成によって、ゲートウェイ装置３０は、通信ＩＦ部３００で監視制御装置２０から制御信号を受信すると、この制御信号に含まれるアドレス情報に対応する電力線デバイス１０の固有識別情報をデバイスデータテーブルＤ２から検索し、検索した固有識別情報宛にこの制御信号を電力線搬送通信ＩＦ部３０１から送信する。
【００２１】
上記構成によって、背景技術にかかる遠隔制御システムでは、ゲートウェイ装置３０を介して、監視制御装置２０からの制御信号が制御対象となる電力線デバイス１０に対して送信されることで、監視制御装置２０が電力線デバイス１０の動作を遠隔から制御できるようになっている。このような、監視制御装置２０がゲートウェイ装置３０を介して電力線デバイス１０の動作を遠隔から制御できる通信システムは、例えば特許文献１にも掲載されている。
【特許文献１】特開２００２−４４７６５号公報
【発明の開示】
【発明が解決しようとする課題】
【００２２】
背景技術にかかる通信システムでは、監視制御装置から電力線デバイスを選択するためには、監視制御装置からゲートウェイ装置に送信されるアドレス情報と、ゲートウェイ装置で記憶されるアドレス情報とが一致することが前提であり、ゲートウェイ装置へのデバイスデータテーブルにおけるアドレス情報の入力及び変更は、操作者の手入力によってなされていた。このため、電力線に接続される電力線デバイスの数が多い程、操作者に入力の煩を与えてしまうとともに、入力ミスによって操作者の意図する電力線デバイスを選択することができない場合があった。さらに、ゲートウェイ装置を取り換える場合には、再度、電力線デバイス情報と一致したアドレス情報の入力を行う必要が生じるため、容易に機器交換を行うことができなかった。
【００２３】
本発明は、上記事情に鑑みて為されたものであり、操作性を向上させるとともに、操作者の意図する電力線デバイスの選択をより確実に行うことができ、比較的容易に機器交換を行うことができるゲートウェイ装置、該ゲートウェイ装置を用いた通信システム及び該ゲートウェイ装置を提供することを目的とする。
【課題を解決するための手段】
【００２４】
上記目的を達成するために、本発明の第１の手段に係るゲートウェイ装置（ＧＷ装置）は、複数の第１の通信装置と通信を行うための第１通信部と、複数の第１の通信装置から１個の第１の通信装置を選択するための選択情報を送信する第２の通信装置と通信を行うための第２通信部と、第１の通信装置を識別するための識別情報と選択情報とを対応づけて登録するための識別選択情報対応テーブルを記憶するテーブル記憶部と識別選択情報対応テーブルの登録内容を変更するための変更モードを含む複数のモードから１のモードを選択的に受け付けるモード設定部と、モード設定部から変更モードを受け付けた場合に、第１の通信装置から識別情報を受信するとともに、第２の通信装置から選択情報を受信すると、受信した識別情報に対応させて、受信した選択情報を識別選択情報対応テーブルに登録する処理部とを備えることを特徴とする。
【００２５】
そして、上述のゲートウェイ装置において、上記処理部は、受信した選択情報の識別選択情報対応テーブルへの登録後、受信した選択情報と同一の選択情報が他に識別選択情報対応テーブルに登録されている場合には、同一の識別情報を識別選択情報対応テーブルにない登録情報に変更することを特徴とする。
【００２６】
また、これら上述のゲートウェイ装置において、上記第２通信部は、選択情報で選択される第１の通信装置の名称を表す名称情報を選択情報とともに受信し、上記処理部は、識別選択情報対応テーブルに基づいて、選択情報から第１の通信装置を特定し、特定した第１の通信装置に対して、第２通信部で受信した名称情報を第１通信部から送信させることを特徴とする。
【００２７】
さらに、これら上述のゲートウェイ装置において、識別選択情報対応テーブルは、選択情報と対応付けて名称情報を更に登録するものであり、モード設定部は、第２の通信装置から受信した第１の通信装置の動作を制御するための制御信号を第１の通信装置に送信する動作制御モードを選択的に設定可能であり、動作制御モードが設定されている場合に、第２の通信部は、制御信号及び選択情報とともに名称情報を受信し、第２の通信部で受信した選択情報及び名称情報が識別選択情報対応テーブルに登録されていない場合に、第１の通信装置の動作の制御不能を表示する表示部を備えることを特徴とする。
【００２８】
そして、これら上述のゲートウェイ装置において、記録媒体との間で情報を読み書きする外部記憶装置と、該外部記憶装置に対して識別選択情報対応テーブルを出力する出力部とを更に備えることを特徴とする。
【００２９】
また、本発明の第２の手段に係る通信システムは、これら上述のゲートウェイ装置と、複数の第１の通信装置と、第２の通信装置とを備えることを特徴とする。
【発明の効果】
【００３０】
本発明によれば、変更モードで、第１の通信装置から識別情報を受信するとともに、第２の通信装置から選択情報を受信すると、受信した識別情報に対応させて、受信した選択情報が識別選択情報対応テーブルに登録されるため、従来のように、操作者が第２の通信装置に対して手入力で選択情報を入力することで、第１の通信装置に記憶される選択情報と、ゲートウェイ装置に記憶される選択情報とを一致させる煩を操作者に与えることがない。これによって、操作性を向上させることができる。また、第１の通信装置に記憶される選択情報と、ゲートウェイ装置に記憶される選択情報とを一致させることを手入力によって行わないため、入力ミスを効果的に防止することができる。これによって、操作者の意図に反した第１の通信装置が選択されることを効果的に防止することができる。また、通信システムにおける、ゲートウェイ装置の取り換えを行う場合にも、再度、第１の通信装置に記憶される選択情報と、ゲートウェイ装置に記憶される選択情報とを一致させる入力を行うことが要求されないため、機器交換を比較的容易に行うことができる。
【発明を実施するための最良の形態】
【００３１】
（第１の実施形態）
以下に、本発明を実施するための第１の実施形態を図１〜図４を用いて説明する。図１は、本実施の形態にかかる遠隔制御システム１に用いられるゲートウェイ装置３を示す機能ブロック図である。遠隔制御システム１は、背景技術にかかる遠隔制御システム１００に、ゲートウェイ装置３０をゲートウェイ装置３に代えて用いたものであり、背景技術に記載した内容との共通箇所の説明は省略する。また、各図において、同一の符号を付した構成は同一の構成であることを示し、その説明を省略する。
【００３２】
また、遠隔制御システム１では、電力線デバイス１０は、操作者にスイッチングされることで、所定の操作を受け付ける操作スイッチＳＷ（不図示）を備え、記憶部１０３は、固有識別情報を予め記憶し、処理部１０４は、操作スイッチのスイッチングによって、記憶部１０３に記憶される固有識別情報を通信部１０２によってゲートウェイ装置３に対して送信させるものである。固有識別情報とは、背景技術と同様に、電力線デバイス１０を特定するための電力線デバイス１０毎に固有の情報であり、例えばＭＡＣ（Media  Access  Control）アドレス等である。また、本実施形態に係るゲートウェイ装置３は、後述する中央処理部３６にアドレス情報と固有識別情報との対応付けを後述するように行う対応付け処理部３６２を機能的に備えることに特徴を有する。
【００３３】
また、遠隔制御システム１では、監視制御装置２０で記憶される操作対応アドレスデータテーブルＤ１は、例えば監視制御装置２０の出荷段階で入力部２０３等を介して入力される等して予め記憶されており、アドレス情報については、後述の変更モードの際に空でなければどのようなデータが登録されていてもよく、任意のダミーデータが登録されている。また、デバイスデータテーブルＤ２に登録されているアドレス情報についても、出荷段階ではダミーデータが登録されている。
【００３４】
図１において、ゲートウェイ装置３は、モード設定部３１、通信インターフェース部（以下、「通信ＩＦ部」と略記する。）３２、電力線搬送通信インターフェース部（以下、「電力線搬送通信ＩＦ部」と略記する。）３３、記憶部３４、表示部３５、中央処理部３６（変更処理部）及びバス３７を備えるものである。
【００３５】
モード設定部３１は、ゲートウェイ装置３のモードを設定する指示を受け付けて、複数のモードから１のモードを設定するものであり、例えば、押し釦スイッチ等を備えて構成される。複数のモードは、通常モード（動作制御モードの一例）と、変更モードとを少なくとも含む。通常モードとは、監視制御装置２０によって、電力線デバイス１０の動作を制御するためのモードである。変更モードとは、デバイスデータテーブルＤ２（識別選択情報対応テーブルの一例）に含まれるアドレス情報（選択情報の一例）を変更するためのモードである。
【００３６】
通信ＩＦ部３２は、第２通信部の一例であり、通信線Ｌ２を介して監視制御装置２０と通信を行うためのインターフェース回路であり、中央処理部３６からのデータを通信線Ｌ２の通信プロトコルに従った通信信号に生成すると共に通信線Ｌ２からの通信信号を中央処理部３６が処理可能な形式のデータに変換する。
【００３７】
電力線搬送通信ＩＦ部３３は、第１通信部の一例であり、電力線Ｌ１を介して電力線デバイス１０と所謂電力線搬送通信を行うためのインターフェース回路であり、中央処理部３６からのデータを電力線搬送通信の通信プロトコルに従った通信信号を生成すると共に電力線Ｌ１を介した電力線デバイス１０からの通信信号を中央処理部３６が処理可能な形式のデータに変換する。電力線搬送通信は、例えば、商用周波数の電力波形に高周波の通信信号を重畳して送信したり、この電力波形からこの高周波の通信信号を分離して受信したりすることによって、通信信号を電力線を介して送受信する通信方式であり、通信プロトコルに例えばＳＣＰが利用される。
【００３８】
記憶部３４は、デバイスデータテーブルＤ２を記憶するデータベース記憶部（以下、「ＤＢ記憶部」と略記する。）３４０を備え、本ゲートウェイ装置３を動作させるための制御プログラムや、アドレス情報と固有識別情報との対応付けを後述するように行うための対応付プログラム等の各プログラム、各プログラムの実行に必要な情報等を記憶すると共に、中央処理部３６に対する所謂ワーキングメモリである。記憶部３４は、例えば、各プログラムやこれに必要な情報等を記憶する、例えばＲＯＭ（Read Only Memory）等の不揮発性の記憶素子、ＥＥＰＲＯＭ（Electrically Erasable Programmable Read Only Memory）等の書換え可能な不揮発性の記憶素子、及び、ワーキングメモリと成る例えばＲＡＭ（Random Access Memory）等の揮発性の記憶素子を備えて構成される。
【００３９】
表示部３５は、ＬＥＤ（Light Emitting Diode ）から成るディスプレイやＬＣＤ（Liquid Crystal Display ）等で実現され、ゲートウェイ装置３の設定等、所定の情報を操作者に表示するものである。
【００４０】
中央処理部３６は、例えば、マイクロプロセッサやその周辺回路等で構成され、機能的に、通信処理部３６１と、対応付け処理部３６２とを備えると共に、各制御プログラムに従い、通信ＩＦ部３２、電力線搬送通信ＩＦ部３３、記憶部３４及び表示部３５の動作を制御する。通信処理部３６１は、通常モードでは、通信ＩＦ部３２及び電力線搬送通信ＩＦ部３３を用いて通信プロトコルの変換を行いながら監視制御装置２０と電力線デバイス１０との間で通信信号を送受信する。そして、通信処理部３６１は、変更モードでは、通信ＩＦ部３２で受信した通信信号を対応付け処理部３６２に通知し、対応付け処理部３６２からのデータを通信ＩＦ部３２に通知すると共に、電力線搬送通信ＩＦ部３３で受信した通信信号を対応付け処理部３６２に通知し、対応付け処理部３６２からのデータを電力線搬送通信ＩＦ部３３に通知する。
【００４１】
対応付け処理部３６２は、変更モードで、操作スイッチがスイッチングされた電力線デバイス１０から、固有識別情報を電力線搬送通信ＩＦ部３３によって受信するとともに、操作ボタンＢのうちいずれか１が押下された監視制御装置２０から、押下された操作ボタンＢに対応するアドレス情報を所定のタイミングで通信ＩＦ部３２によって受信すると、受信した固有識別情報に対応させて受信したアドレス情報をデバイスデータテーブルＤ２に登録するものである。本実施の形態では、対応付け処理部３６２は、固有識別情報で特定される電力線デバイス１０のアドレス情報を、受信したアドレス情報で更新するようにデバイスデータテーブルＤ２を更新するものである。具体的には、対応付け処理部３６２は、デバイス情報を受信した場合に、固有識別情報で特定される電力線デバイス１０に対応した、デバイスデータテーブルＤ２のアドレス情報を削除し、操作ボタンＢの押下タイミングを表示部３５に表示し、削除した欄に所定のタイミング（アドレス情報が削除された後）で受信したアドレス情報を書き込むことで、デバイスデータテーブルＤ２を変更するものである。
【００４２】
このように、デバイスデータテーブルＤ２のアドレス情報の削除の実行後、操作ボタンＢの押下タイミングを表示部３５に表示することにより、アドレス情報の変更可能なタイミングを操作者に対して報知することができる。操作ボタンＢの押下タイミングの表示は、例えば、表示画面の色彩を変えること、表示画面中の文字を点滅表示すること、押下タイミングの時間や時刻を表示する等、押下タイミングを操作者に視覚的に報知するものである。
【００４３】
そして、これらモード設定部３１、通信ＩＦ部３２、電力線搬送通信ＩＦ部３３、記憶部３４、表示部３５及び中央処理部３６は、データを相互に交換することができるように、バス３７にそれぞれ接続される。
【００４４】
図２は、変更モードにおけるゲートウェイ装置３のアドレス情報変更処理の一例を示すフローチャートであり、図３は、変更モードにおける通信シーケンスの一例を示す図である。モード設定部３１で変更モードが設定された場合に、本アドレス情報変更処理が実行される。まず、対応付け処理部３６２が電力線搬送通信ＩＦ部３３で固有識別情報を受信したかどうかを判断し（Ｓ１）、固有識別情報を受信したと判断しない場合には（Ｓ１でＮＯ）、繰り返しステップＳ１が実行される。
【００４５】
固有識別情報は、操作スイッチＳＷのいずれか１が押下されることで（＃１）、電力線デバイス１０から送信され（＃２）、電力線搬送通信ＩＦ部３３で受信した固有識別情報は、通信処理部３６１を介して対応付け処理部３６２に入力され（＃３）、固有識別情報の受信の有無が判断される。固有識別情報を受信したと判断する場合には（Ｓ１でＹＥＳ）、対応付け処理部３６２によって、デバイスデータテーブルＤ２が参照され（Ｓ２）、受信した固有識別情報に対応する電力線デバイス１０のアドレス情報が検索され、検索されたアドレス情報を削除する（Ｓ３）。
【００４６】
図４は、アドレス情報変更処理におけるデバイスデータテーブルＤ２の変更を示す図である。（ａ）は、アドレス情報変更処理前におけるデバイスデータテーブルＤ２を示している。（ｂ）は、ステップＳ３が実行された後のデバイスデータテーブルＤ２を示しており、固有識別情報で機器ｂ（電力線デバイス１０ｂに対応）が特定されたため、機器ｂに対応するアドレス情報が削除されている。
【００４７】
図２及び図３に戻って、対応付け処理部３６２は、表示部３５に操作ボタンＢの押下タイミングを表示する（Ｓ４及び＃５）。その後、対応付け処理部３６２は、アドレス情報が通信ＩＦ部３２で受信されたかどうかを判断し（Ｓ５）、アドレス情報が受信されたと判断されない場合には（Ｓ５でＮＯ）、繰り返しステップＳ５が実行される。
【００４８】
監視制御装置２０で、操作ボタンＢのいずれか１が押下されると（♯６）、処理部２０４が、押下された操作ボタンＢに対応するアドレス情報を操作対応アドレスデータテーブルＤ１を参照して取得し、取得したアドレス情報を通信部２０１によって送信させると、ゲートウェイ装置３では、通信ＩＦ部３２がアドレス情報を受信する（＃７）。通信ＩＦ部３２は、受信したアドレス情報を通信処理部３６１に出力し、通信処理部３６１は出力されたアドレス情報を対応付け処理部３６２に通知し（♯８）、これによって対応付け処理部３６２は、アドレス情報が通信ＩＦ部３２で受信されたと判断する（Ｓ５でＹＥＳ）。
【００４９】
ステップ５で、アドレス情報が受信されたと判断される場合には、対応付け処理部３６２は、デバイスデータテーブルＤ２におけるアドレス情報の空欄を検索し（Ｓ６）、受信したアドレス情報を空欄に書き込むことでデバイスデータテーブルＤ２が更新される（Ｓ７及び♯９）。図４を参照して、（ｃ）は、ステップＳ７が実行された後のデバイスデータテーブルＤ２を示す。（ｂ）で示すように、ステップＳ３で機器ｂに対応するアドレス情報が削除され、空欄となっていたため、機器ｂのアドレス情報の欄に受信したアドレス情報（「２」）が書き込まれている。
【００５０】
ステップＳ７の実行後、対応付け処理部３６２は、受信したアドレス情報と同一のアドレス情報が他にデバイスデータテーブルＤ２に登録されているかどうか判断する。（ｃ）で示すように、同一のアドレス情報がデバイスデータテーブルＤ２に複数含まれることになった場合には、対応付け処理部３６２は、新たに書き込んだアドレス情報（機器ｂのアドレス情報）と同一のアドレス情報（機器ｃのアドレス情報）を、デバイスデータテーブルＤ２に含まれない、別のアドレス情報に変更する。変更されるアドレス情報は、例えば図４（ｄ）に示すように、操作対応アドレスデータテーブルＤ１に含まれないアドレス情報、例えば監視制御装置２０で使用されることのないアドレス情報であることが好ましく、これによって、複数の電力線デバイス１０が識別されてしまうことが効果的に防止される。
【００５１】
図２及び図３に戻って、対応付け処理部３６２は、表示部３５にアドレス情報の変更の完了を表示させる（Ｓ８及び♯１０）。その後、対応付け処理部３６２は、モード設定部３１で変更モードとは別のモード（例えば通常モード）に設定変更されたかどうか、すなわち変更モードが終了したかどうか判断し（Ｓ９）、変更モードの終了が判断される場合には（Ｓ９でＹＥＳ）、本アドレス情報変更処理は終了し、変更モードの終了が判断されない場合には（Ｓ９でＮＯ）、ステップＳ１に戻り、デバイスデータテーブルＤ２に含まれる他の電力線デバイス１０についてのアドレス情報を変更することが可能となる。出荷状態でのゲートウェイ装置３においては、監視制御装置２０にダミーデータがアドレス情報として記憶されているため、全ての電力線デバイス１０について、上記ステップＳ１〜Ｓ８の処理が実行されて、監視制御装置２０に記憶されるアドレス情報とデバイスデータテーブルＤ２に含まれるアドレス情報とを一致させることで、遠隔制御システムが好適に運用されるようになる。
【００５２】
本実施の形態にかかる遠隔制御システム１では、変更モードが設定可能であり、操作者によって、電力線デバイス１０の操作スイッチＳＷのいずれか一が押下され、操作ボタンＢの押下タイミングで監視制御装置２０の操作ボタンＢのうちいずれか一が押下されるだけの簡単な操作によって、デバイスデータテーブルＤ２に登録されるアドレス情報と操作対応アドレスデータテーブルＤ１のアドレス情報とを一致させることができる。これによって、従来のような、操作者の手入力によって、デバイスデータテーブルＤ２に登録されるアドレス情報と操作対応アドレスデータテーブルＤ１のアドレス情報とを一致させる遠隔制御システムと比較して、監視制御装置の操作ボタンに対応するアドレス情報と、ゲートウェイ装置で記憶されるアドレス情報とを一致させる操作の操作性が向上する。特に、電力線デバイス１０の電力線Ｌ１への接続台数が多く、例えば数十〜数百個になるような場合には、本実施の形態では、手入力に比較して操作性を著しく向上させることができる。
【００５３】
また、従来の遠隔制御システムのように、操作者のアドレス情報の入力ミスによって、監視制御装置２０の操作ボタンに対応するアドレス情報が、ゲートウェイ装置３で記憶されるアドレス情報と一致しない状態を効果的に防止できるため、より正確に、監視制御装置２０で操作者の所望する電力線デバイス１０を選択することができる。さらに、ゲートウェイ装置３を交換する場合においても、電力線デバイス１０の操作スイッチＳＷのいずれか一が押下され、操作ボタンＢの押下タイミングで監視制御装置２０の操作ボタンＢのうちいずれか一が押下されるだけの簡単な操作によって、デバイスデータテーブルＤ２のアドレス情報と操作対応アドレスデータテーブルＤ１のアドレス情報とを一致させることが可能であるため、ゲートウェイ装置３を別のものに容易に交換することができる。
【００５４】
また、本実施の形態では、デバイスデータテーブルＤ２のアドレス情報を受信したアドレス情報に変更した後に、同一のアドレス情報を複数含むようになった場合に、受信したアドレス情報と同一のアドレス情報が、監視制御装置２０で使用されない他のアドレス情報に変更される。これによって、複数の電力線デバイス１０に対して同一のアドレス情報が付与されて、監視制御装置２０によって操作者の意図しない電力線デバイスが選択されることが効果的に防止される。
（第２の実施形態）
以下、本発明の第２の実施形態を図５〜図７を用いて説明する。本実施の形態では、監視制御装置２０は、操作対応アドレスデータテーブルＤ１に代えて、操作ボタンＢ１〜Ｂ３のいずれかを押下する電力線デバイス１０の選択操作と、アドレス情報及び該アドレス情報に対応する電力線デバイス１０の名称（以下、「機器名称」と記載する）を示す名称情報とが対応づけられた操作対応アドレスデータテーブルＤ１´が格納されていることが、第１の実施形態とは構成が異なっている。機器名称は、例えば、電力線デバイス１０がリビングに設置された照明器具である場合には、「リビングの照明」等である。
【００５５】
また、本実施の形態では、ゲートウェイ装置３は、監視制御装置２０に対して、アドレス情報及びこのアドレス情報に対応した名称情報のダウンロードの要求（以下「ダウンロード要求」と記載する）を行うとともに、該ダウンロード要求に応じて監視制御装置２０から送信されたダウンロード情報を受信するダウンロード処理を実行することが、第１の実施形態とは構成が異なっている。また、ゲートウェイ装置３は、ダウンロード情報を受信した場合に、デバイスデータテーブルＤ２に名称情報を書き込んだ、デバイスデータテーブルＤ２´を記憶部３４に記憶させる機器名称記憶処理を行うことが第１の実施形態とは構成が異なっている。また、ゲートウェイ装置３は、デバイスデータテーブルＤ２´に基づいて、受信したアドレス情報に対応した電力線デバイス１０に対して、受信した名称情報を送信する機器名称送信処理を実行することが、第１の実施形態とは構成が異なっている。
【００５６】
図５は、本発明の第２の実施形態にかかる遠隔制御システム１において、ゲートウェイ装置３が実行するダウンロード処理、機器名称記憶処理及び機器名称送信処理の一例を示すフローチャートである。図６は、本実施の形態における通信シーケンスの一例を示す図である。本処理は、第１の実施形態におけるアドレス情報変更処理の終了後に、連続して実施される。
【００５７】
まず、対応付け処理部３６２は、通信処理部３６１及び通信ＩＦ部３２を用いてダウンロード要求を行う（Ｓ１１及び♯１１、♯１２）。
【００５８】
図７は、本実施の形態で用いられる操作対応アドレスデータテーブルＤ１´及びデバイスデータテーブルＤ２´を示す図である。（ａ）は、操作対応アドレスデータテーブルＤ１´を示している。監視制御装置２０では、通信部２０１がダウンロード要求を受信した場合に、処理部２０４は操作対応アドレスデータテーブルＤ１´を参照して、操作対応アドレスデータテーブルＤ１´に含まれる全てのアドレス情報及びこのアドレス情報に対応する名称情報をダウンロード情報として取得する。図５及び図６に戻って、監視制御装置２０では、通信部２０１は、処理部２０４で取得したダウンロード情報をゲートウェイ装置３に対して送信する（♯１３）。
【００５９】
ゲートウェイ装置３では、対応付け処理部３６２が通信ＩＦ部３で２ダウンロード情報を受信したかどうか判断し（Ｓ１２）、ダウンロード情報を受信したと判断されない場合には（Ｓ１２でＮＯ）、繰り返しステップＳ１２が実行される。通信ＩＦ部３２はダウンロード要求を受信すると、ダウンロード情報を対応付け処理部３６２に通信処理部３６１を介して出力し（♯１４）、これによって、対応付け処理部３６２は、ダウンロード情報を受信したと判断する（Ｓ１２でＹＥＳ）。
【００６０】
ダウンロード情報が受信されたと判断される場合には、対応付け処理部３６２は、デバイスデータテーブルＤ２を参照して（Ｓ１３）、ダウンロード情報に含まれるアドレス情報とデバイスデータテーブルＤ２のアドレス情報とを比較する。対応付け処理部３６２は、両アドレス情報が一致する場合には、アドレス情報に関連付けて、デバイスデータテーブルＤ２に名称情報を書き込んで、図７（ｂ）で示すようなデバイスデータテーブルＤ２´を作成する（Ｓ１４及び♯１５）。
【００６１】
その後、対応付け処理部３６２は、デバイスデータテーブルＤ２´に基づいて、各アドレス情報に対応する固有識別情報及び名称情報を取得し（♯１６）、通信処理部３６１を介して電力線搬送通信ＩＦ部３３に対して出力する（♯１７）。電力線搬送通信ＩＦ部３３は、各固有識別情報の示す電力線デバイス１０に対して、名称情報を記憶部１０３に書き込ませる制御信号とともに、名称情報を送信し（Ｓ１５及び♯１８）、本処理は終了する。電力線デバイス１０は、名称情報を受信すると、制御信号に従って、名称情報を記憶部１０３に書き込む。
【００６２】
本実施の形態では、監視制御装置２０から送信された名称情報が電力線デバイス１０に送信され、電力線デバイス１０で送信された名称情報が記憶されるため、デバイスデータテーブルＤ２´に含まれるアドレス情報が失われた場合であっても、以下に、図８及び図９で説明するアドレス情報再現処理を実行することで、名称情報を基にアドレス情報を再現することができる。
【００６３】
図８は、ゲートウェイ装置３で実行されるアドレス情報再現処理の一例を示すフローチャートである。図９は、デバイスデータテーブルＤ２´のアドレス情報を再現するための通信シーケンスの一例を示す図である。電力線デバイス１０の操作スイッチＳＷがスイッチングされた場合に、電力線デバイス１０は固有識別情報を送信し、電力線搬送通信ＩＦ部３３は送信された固有識別情報を受信し（♯２１）、通信処理部３６１を介して対応付け処理部３６２に出力し（♯２２）、対応付け処理部３６２が固有識別情報を受信することで、本処理は実行される。本処理では、電力線デバイス１０が名称情報を記憶する場合には、固有識別情報とともに名称情報が送信されるものとなっている。
【００６４】
まず、対応付け処理部３６２は、固有識別情報とともに名称情報が入力されたかどうか判断する（Ｓ２１及び♯２３）。名称情報が入力されたと判断されない場合には（Ｓ２１でＮＯ）、本処理が終了し、名称情報が入力されたと判断される場合には（Ｓ２１でＹＥＳ）、電力線デバイス１０が特定されて、デバイスデータテーブルＤ２´を参照する。対応付け処理部３６２は、特定された電力線デバイス１０に対応する名称情報がデバイスデータテーブルＤ２´に含まれているかどうかを判断する（Ｓ２２及び♯２３）。名称情報が含まれていると判断されない場合には（Ｓ２２でＮＯ）、本処理は終了し、名称情報が含まれていると判断される場合には（Ｓ２２でＹＥＳ）、対応付け処理部３６２は、名称情報を通信処理部３６１を介して通信ＩＦ部３２に出力して（♯２４）、監視制御装置２０に対して送信させる（Ｓ２３及び♯２５）。
【００６５】
ステップＳ２３で送信された名称情報を受信した監視制御装置２０では、処理部２０４は、操作対応アドレスデータテーブルＤ１´を参照して、名称情報に対応したアドレス情報を取得する。処理部２０４は、取得したアドレス情報及び該アドレス情報に対応する名称情報を通信部２０１に出力して、通信部２０１はこれらの情報をゲートウェイ装置３に対して送信する（♯２６）。
【００６６】
ゲートウェイ装置３では、対応付け処理部３６２は、通信ＩＦ部３２でアドレス情報及び名称情報を受信したかどうかを判断し（Ｓ２４）、アドレス情報及び名称情報を受信したと判断されない場合には（Ｓ２４でＮＯ）、繰り返しステップＳ２４が実行される。通信ＩＦ部３２は、アドレス情報及び名称情報を受信すると、アドレス情報及び名称情報を、通信処理部３６１を介して対応付け処理部３６２に出力し（♯２７）、これによって、対応付け処理部３６２はアドレス情報及び名称情報を受信したと判断する（Ｓ２４でＹＥＳ）。
【００６７】
対応付け処理部３６２でアドレス情報及び名称情報を受信したと判断される場合には、対応付け処理部３６２は、名称情報からデバイスデータテーブルＤ２´を参照して、デバイスデータテーブルＤ２´にアドレス情報を書き込む（Ｓ２５及び♯２８）。その後、本処理は終了する。
【００６８】
本実施の形態では、上述したアドレス情報再現処理が実行されることで、ゲートウェイ装置３で記憶されるアドレス情報が失われた場合においても、アドレス情報を比較的容易に再現することができる。
【００６９】
なお、本実施の形態では、アドレス情報変更処理の終了後に連続して、ダウンロード処理が実行される構成であるが、これに限定されず、ゲートウェイ装置３で操作者からダウンロード要求を実行する指示を受け付けることによって、実行される構成等であってもよく、例えば、モード設定部３１で、上述したダウンロード処理、機器名称記憶処理及び機器名称送信処理をゲートウェイ装置３に実行させるモードが選択的に設定されることで、ゲートウェイ装置３がダウンロード要求を実行する構成であってもよい。また、アドレス情報変更処理において、実行されてもよい。
（第３の実施形態）
以下に、本発明を実施するための第３の実施の形態を図１０及び図１１を用いて説明する。本実施の形態では、通常モードが設定されている場合において、監視制御装置２０による電力線デバイス１０の動作制御が不能である場合に、ゲートウェイ装置３が、表示部３５に制御不能を示す画面を表示する制御不能表示処理を実行するものである。
【００７０】
図１０は、第３の実施形態におけるゲートウェイ装置３の制御不能表示処理の一例を示すフローチャートである。図１１は、本実施形態における通信シーケンスを示す図である。本処理は、モード設定部３１で通常モードが設定されており、通信ＩＦ部３２で監視制御装置２０から制御信号が受信されたと、通信処理部３６１が判断した場合に実行される。本実施の形態では、監視制御装置２０で、操作ボタンＢのうちいずれかが押下され、入力部２０３が電力線デバイス１０に対する命令を操作者から受け付けると（♯３１）、処理部２０４は操作対応アドレスデータテーブルＤ１´を参照して、押下された操作ボタンＢに対応するアドレス情報及び名称情報を取得して、通信部２０１によって制御信号とともに送信する（♯３２）。通信ＩＦ部３２は、送信された制御信号をアドレス情報及び名称情報とともに受信し、これらの情報を通信処理部３６１に出力し（♯３３）、これによって通信処理部３６１は制御信号を受信したと判断する。
【００７１】
ます、通信処理部３６１は、デバイスデータテーブルＤ２´を参照し（Ｓ３１、♯３４、♯３５）、受信したアドレス情報と一致するアドレス情報が登録されているかどうかを判断する（Ｓ３２）。受信したアドレス情報と一致するアドレス情報が登録されていると判断される場合には（Ｓ３２でＹＥＳ）、通信処理部３６１は、デバイスデータテーブルＤ２´におけるアドレス情報と対応する名称情報が、受信した名称情報と一致するかどうかを判断する（Ｓ３３）。アドレス情報と対応する名称情報が、受信した名称情報と一致すると判断されない場合には（Ｓ３３でＮＯ）、通信処理部３６１は、操作者の指定した電力線デバイス１０とは別の電力線デバイス１０が動作することを表示部３５に表示し（Ｓ３４及び♯３６）、その後、後述するステップＳ３５（及び♯３７）が実行される。
【００７２】
アドレス情報と対応する名称情報が、受信した名称情報と一致すると判断される場合には（Ｓ３３でＹＥＳ）、通信処理部３６１は、アドレス情報から制御対象となる電力線デバイス１０を識別して、識別した電力線デバイス１０に対して、電力線搬送通信ＩＦ部３３から制御信号を送信させる（Ｓ３５及び♯３７）。
【００７３】
受信したアドレス情報と一致するアドレス情報が登録されていると判断されない場合には（Ｓ３２でＮＯ）、通信処理部３６１は、電力線デバイス１０に対応したアドレス情報が記憶されていないことを表示部３５に表示させる（Ｓ３６及び♯３８）。その後処理は終了する。
【００７４】
本実施の形態では、アドレス情報や名称情報等の電力線デバイス１０を特定するための情報がデバイスデータテーブルＤ２´に含まれていない場合には、アドレス情報が記憶されていないことが表示され、アドレス情報が制御対象となる電力線デバイスが特定不能であり制御できないことが示されるため、操作者に対して、電力線デバイス１０の制御不能を知らせることができる。更に、受信したアドレス情報と一致するアドレス情報が、デバイスデータテーブルＤ２´に記憶されている場合において、受信した名称情報とデバイスデータテーブルＤ２´においてアドレス情報と対応する名称情報とが不一致である場合に、操作者の指定した電力線デバイス１０とは別の電力線デバイス１０が動作することが表示できるため、操作者に対して指定した電力線デバイス１０とは別の電力線デバイス１０が動作していることを報知することができる。
【００７５】
なお、本実施の形態では、表示部３５にアドレス情報が記憶されていないことを表示したが、本発明では、例えば表示部３５で表示される画面の色彩が変わる等、電力線デバイスの動作の制御不能を表示する他の表示方法が採用されてもよい。もっとも、アドレス情報が記憶されていないことを表示する方が、制御不能の原因を操作者に告知することができる。
【００７６】
（第４の実施形態）
以下に、本発明を実施するための第４の実施の形態を図１２及び図１３を用いて説明する。本実施の形態では、ゲートウェイ装置３は、図１に破線で示すように、入出力部３８を備え、入出力部３８は、出力部及び外部記憶装置の一例として機能し、ＣＤ−ＲＯＭ、ＣＤ−Ｒ、ＤＶＤ−Ｒ、フレキシブルディスク等の記録媒体を介して、デバイスデータテーブルＤ２若しくはデバイスデータテーブルＤ２´がインストール可能にされるとともに、これらの記録媒体に対してデバイスデータテーブルＤ２若しくはデバイスデータテーブルＤ２´を出力可能になっている。
【００７７】
図１２は、本実施の形態にかかる通信シーケンスを示す図である。
【００７８】
図１２は、本実施の形態において、デバイスデータテーブルＤ２若しくはデバイスデータテーブルＤ２´を外部記憶装置に対して出力する通信シーケンスを示す図である。
【００７９】
対応付け処理部３６２は、時間を計時する計時手段を内蔵し、この計時手段で所定の時間の経過が測定されたときに、記憶部３４に対してデバイスデータテーブルＤ２若しくはデバイスデータテーブルＤ２´の出力を要求し（♯４１）、記憶部３４は、要求を受けて、デバイスデータテーブルＤ２若しくはデバイスデータテーブルＤ２´を対応付け処理部３６２に出力する（♯４２）。対応付け処理部３６２は、出力されたデバイスデータテーブルＤ２若しくはデバイスデータテーブルＤ２´を入出力部３８に出力して（♯４３）、入出力部３８は記録媒体にデータを記憶させる（♯４４）。
【００８０】
図１３は、本実施の形態において、デバイスデータテーブルＤ２若しくはデバイスデータテーブルＤ２´を記録媒体を介して入力する通信シーケンスを示す図である。
【００８１】
モード設定部３１が操作者から記録媒体からデバイスデータテーブルＤ２若しくはデバイスデータテーブルＤ２´を読み込む命令を受け付けた場合に、対応付け処理部３６２は、デバイスデータテーブルＤ２若しくはデバイスデータテーブルＤ２´を、記録媒体から入出力部３８に入力させる（♯５１）。入出力部３８は、入力されたデバイスデータテーブルＤ２若しくはデバイスデータテーブルＤ２´を対応付け処理部３６に対して出力し（♯５２）、対応付け処理部３６は、記憶部３４に格納されるデバイスデータテーブルＤ２若しくはＤ２´を入力されたデバイスデータテーブルＤ２若しくはデバイスデータテーブルＤ２´に置き換える（♯５３）。
【００８２】
本実施の形態では、入出力部３８を備え、この入出力部３８は、所定時間間隔毎に、デバイスデータテーブルＤ２若しくはデバイスデータテーブルＤ２´を記憶媒体に出力する。これによって、記録媒体にデバイスデータテーブルＤ２若しくはデバイスデータテーブルＤ２´のバックアップを取ることができる。また、記録媒体を介してデバイスデータテーブルＤ２若しくはデバイスデータテーブルＤ２´が入力可能に構成されているため、ゲートウェイ装置３に格納されるデバイスデータテーブルＤ２若しくはデバイスデータテーブルＤ２´が失われた場合であっても、バックアップデータを用いてゲートウェイ装置３にデバイスデータテーブルＤ２若しくはデバイスデータテーブルＤ２´を再現することができる。
【００８３】
なお、本実施の形態では、対応付け処理部３６２が所定の時間間隔毎に、データ出力要求を行うことで、デバイスデータテーブルＤ２若しくはデバイスデータテーブルＤ２´を入出力部３８から記録媒体に対して出力させる構成であるが、これに限定されず、例えば、所定時刻になることを条件として、デバイスデータテーブルＤ２若しくはＤ２´を出力させる構成であってもよい。また、ゲートウェイ装置３に操作部（不図示）が備えられ、この操作部が操作者からデータ出力命令を受け付けることを条件として、対応付け処理部３６２が入出力部３８にデバイスデータテーブルＤ２若しくはＤ２´を出力させる構成であってもよい。
【００８４】
また、本実施の形態では、デバイスデータテーブルＤ２若しくはＤ２´は、入出力部３８と記録媒体との間で入出力可能とされているが、これに限定されず、入出力部３８からインターネット等の通信網を介してサーバ（不図示）に対して送信され、サーバでバックアップデータとして保存可能とされるとともに、該サーバからダウンロード可能に構成されていてもよい。
【図面の簡単な説明】
【００８５】
【図１】第１の実施形態にかかる遠隔制御システムに用いられるゲートウェイ装置を示す機能ブロック図である。
【図２】変更モードにおけるゲートウェイ装置のアドレス情報変更処理の一例を示すフローチャートである。
【図３】変更モードにおける通信シーケンスの一例を示す図である。
【図４】アドレス情報変更処理におけるデバイスデータテーブルＤ２の変更を示す図である。
【図５】第２の実施形態にかかる遠隔制御システム１において、ゲートウェイ装置３が実行するダウンロード処理、機器名称記憶処理及び機器名称送信処理の一例を示すフローチャートである。
【図６】第２の実施形態における通信シーケンスの一例を示す図である。
【図７】第２の実施形態で用いられる操作対応アドレスデータテーブルＤ１´及びデバイスデータテーブルＤ２´を示す図である。
【図８】ゲートウェイ装置で実行されるアドレス情報再現処理の一例を示すフローチャートである。
【図９】デバイスデータテーブルＤ２´のアドレス情報を再現するための通信シーケンスの一例を示す図である。
【図１０】第３の実施形態におけるゲートウェイ装置３の制御不能表示処理の一例を示すフローチャートである。
【図１１】第３の実施形態における通信シーケンスを示す図である。
【図１２】第４の実施形態において、デバイスデータテーブルＤ２若しくはデバイスデータテーブルＤ２´を外部記憶装置に対して出力する通信シーケンスを示す図である。
【図１３】第４の実施形態において、デバイスデータテーブルＤ２若しくはデバイスデータテーブルＤ２´を外部記憶装置から入力する通信シーケンスを示す図である。
【図１４】背景技術にかかる遠隔制御システムを示す構成図である。
【図１５】図１４に示す遠隔制御システムで用いられるデータを示す図である。
【符号の説明】
【００８６】
１                              遠隔制御システム
３                              ゲートウェイ装置
１０（１０ａ、１０ｂ、１０ｃ）      電力線デバイス
２０                            監視制御装置
３１                            モード設定部
３２                            通信ＩＦ
３３                            電力線通信ＩＦ
３４                            記憶部
３６                            中央処理部
３７                            入出力部
Ｌ１                            電力線
Ｌ２                            通信線
【図１】
2006013815.tif 000003
【図２】
2006013815.tif 000004
【図３】
2006013815.tif 000005
【図４】
2006013815.tif 000006
【図５】
2006013815.tif 000007
【図６】
2006013815.tif 000008
【図７】
2006013815.tif 000009
【図８】
2006013815.tif 000010
【図９】
2006013815.tif 000011
【図１０】
2006013815.tif 000012
【図１１】
2006013815.tif 000013
【図１２】
2006013815.tif 000014
【図１３】
2006013815.tif 000015
【図１４】
2006013815.tif 000016
【図１５】
2006013815.tif 000017